(57)【要約】本発明は、外気（２）と加熱空気（４）を混合する混合装置（３０）に関し、その混合装置は、外気導入口（３２，４２）、加熱空気（４）を混合装置（３０，４０）に供給する加熱空気供給ボディ（３３，４３）および混合装置（３０，４０）から外気と加熱空気の混合空気（６）を送風する混合空気排出口（３６，４６）を含み、加熱空気供給ボディ（３３，４３）は外気（２）に対する流れ抵抗をつくる第１部分（３５，４５）および第２部分（３７，４７）を含み、第２部分（３７，４７）は複数の加熱空気供給孔（３８，４８）を有する閉鎖型中空体として形成され、加熱空気の流れ方向から見て下流末端で第１部分（３５，４５）に接続している。本発明は、加熱空気供給ボディ（３３，４３）の第１部分（３５，４５）が流線型構造であることを特徴とする。本発明はさらに、航空機に搭載された換気システムにおけるこのような混合装置の使用方法に関する。
2009533264.tif 000002
【特許請求の範囲】
【請求項１】
外気（２）と加熱空気（４）を混合する混合装置（３０，４０）であって、前記混合装置（３０，４０）は、外気導入口（３２，４２）、前記加熱空気（４）を前記混合装置（３０，４０）に供給する加熱空気供給ボディ（３３，４３）および外気と加熱空気の混合空気（６）を前記混合装置（３０，４０）から送風する混合空気排出口（３６，４６）を含み、前記加熱空気供給ボディ（３３，４３）が前記外気（２）に対する流れ抵抗をつくる第１部分（３５，４５）および第２部分（３７，４７）を含み、前記第２部分（３７，４７）が複数の加熱空気供給孔（３８，４８）を有する閉鎖型中空体として形成され、前記加熱空気の流れ方向から見て下流末端で前記第１部分（３５，４５）に接続しており、前記加熱空気供給ボディ（３３，４３）の前記第１部分（３５，４５）が流線型構造であることを特徴とする混合装置（３０，４０）。
【請求項２】
前記第２部分（３７）が流線型構造であることを特徴とする、請求項１に記載の混合装置。
【請求項３】
前記第２部分（４７）が球形または楕円形構造であることを特徴とする、請求項１に記載の混合装置。
【請求項４】
前記外気（２）の流れ方向で前記第１部分（３５，４５）の断面領域が前記第２部分（３７，４７）の断面領域より小さいことを特徴とする、請求項２または３に記載の混合装置。
【請求項５】
前記第２部分（４７）の複数の前記加熱空気供給孔（４８）が均等に分配されていることを特徴とする、請求項２〜４の何れか一項に記載の混合装置。
【請求項６】
前記第２部分（３７）の下流域にある前記加熱空気供給孔（３８）の数が、前記第２部分（３７）の上流域より多いことを特徴とする、請求項２〜４の何れか一項に記載の混合装置。
【請求項７】
前記第２部分にある前記加熱空気供給孔の表面密度が前記外気の流れ方向に増加することを特徴とする、請求項６に記載の混合装置。
【請求項８】
前記加熱空気供給ボディ（３３，４３）の前記第１部分（３５，４５）を流れる前記加熱空気（４）の流れ方向が、前記外気（２）の流れ方向に垂直であることを特徴とする、請求項２〜７の何れか一項に記載の混合装置。
【請求項９】
第１ボディ（３１，４１）が、前記外気導入口（３２，４２）および前記混合空気排出口（３６，４６）を含み、前記加熱空気供給ボディ（３３，４３）が前記第１ボディ（３１，４１）に固定されていることを特徴とする、請求項１〜８の何れか一項に記載の混合装置。
【請求項１０】
前記第１ボディ（３１，４１）が、ガラス繊維で補強されたプラスチック材からなり、前記加熱空気供給ボディ（３３，４３）がチタン合金からなることを特徴とする、請求項９に記載の混合装置。
【請求項１１】
温度センサが、前記加熱空気供給ボディ（３３，４３）の下流域で第１ボディ（３１，４１）に配置されていることを特徴とする、請求項９または１０に記載の混合装置。
【請求項１２】
航空機に搭載された換気システムにおける、請求項１〜１１の何れか一項に記載の混合装置の使用方法。
【発明の詳細な説明】
【技術分野】
【０００１】
本発明は、外気と加熱空気を混合する混合装置に関し、その混合装置は、外気導入口、加熱空気を装置に供給する加熱空気供給ボディおよび混合装置から外気と加熱空気の混合空気を送風する混合空気排出口を含み、加熱空気供給ボディは外気（２）に対する流れ抵抗をつくる第１部分および第２部分を含み、第２部分は複数の加熱空気供給孔を有する閉鎖型中空体として形成され、加熱空気の流れ方向から見て下流末端で第１部分に接続している。本発明はさらに、航空機に搭載された換気システムにおけるこのような混合装置の使用方法に関する。請求項１の前文に記載した特徴を有する混合装置については、独国特許出願公開第４２０８４４２（Ａ１）号明細書から知ることができる。
【特許文献１】独国特許出願公開第４２０８４４２（Ａ１）号
【背景技術】
【０００２】
現代の民間航空機において、航空キャビンは複数の領域に隔たれており、これらの領域はそれぞれが独立して換気、温度調整されるべき、またはされなければならない。したがって、例えば航空キャビンの様々な領域における乗客の数に応じて、温度調整が可能である。この条件により、別々に温度調整されるこれらの各領域に供給する外気を、各キャビン領域で達すべき温度レベルに応じて規定された量の加熱空気と共に航空キャビンに送りこまれる前に混合させる必要性が生じる。
【０００３】
以前の空気ミキサー、すなわち外気と加熱空気を混合する混合装置は、航空キャビンの空気供給パイプ内の圧力損失を相当に増大させる混合工程の問題を抱えていた。これらパイプ内の圧力は圧力調節に左右されるので、外気と加熱空気の混合工程は、この圧力調節の外乱変数として働き、最小限にしなければならない。さらに、加熱空気は通常はチタン合金のパイプからガラス繊維で補強されたプラスチック材（ＧＦＲＰ合成物）の外気パイプへと送りこまれ、そこで混合工程が実行される。加熱空気の温度は、外気パイプに送りこまれる前は約２００℃〜２６０℃の範囲内にあるので、ＧＦＲＰ合成物として製造された外気パイプは非混合熱気流の高温に持ちこたえることができない。したがって、２種の空気流の効率的な混合およびそれに伴う温度の低下を確実にすることが必要である。さらに、キャビンの空気供給ラインに送りこまれる加熱空気の流量は、混合領域の下流に設置された温度センサによって調節される。したがって、センサが混合空気流の代表温度を測定することができるよう、混合領域の下流に位置する空気供給ライン内では、均一の温度プロフィールが保証されなければならない。
【０００４】
混合工程は通常は補助ボディを用いることなく（図１）、または単純に形成された補助ボディを用いて（図２）実行される。図１に示された空気ミキサー１０の場合、外気２は導入口１２を通ってパイプ１１に入り、ここで供給口１４を通って供給された加熱空気４と混ざる。混合空気６は空気ミキサー１０の排出口１６から流出し、航空キャビンの下流に送りこまれる。この場合、混合空気６の温度を測定する温度センサ１８は、混合領域の下流に位置する。図１の空気ミキサー１０の問題点は、加熱空気量が少ない場合に特に、外気２と加熱空気４を十分に混合できないことである。混合が不十分であると、いわゆる“ホットスポット”が形成され、ＧＦＲＰ合成物からなるパイプ１１に不利となる。
【０００５】
補助ボディ２４を有する空気ミキサー２０が、図２に示されている。有孔パイプ末端部品２４は、この空気ミキサー２０のパイプ２１の側部に挿入されている。有孔パイプ末端部品２４は、複数の加熱空気供給孔２５を含み、加熱空気４はこれを通してパイプ２１に送り込まれ、供給口２２を通して入ってきた外気２と混ざる。混合空気６は排出口２６を通してパイプ２１から流出する。混合空気６の温度が温度センサ２８によって再度測定される。この空気混合の問題点は、混合領域において、大きな圧力損失が時折発生するという事実にある。圧力損失は、一方では有孔パイプ末端部品２４の領域でパイプ２１内の流れの断面積が縮小することによって生じ、また一方ではこの領域に流入する加熱空気４の流量が追加されることによって生じる。流れの断面積が縮小された領域の流速は、流れの断面積がより大きな他の領域よりも速く、このような領域では圧力が下がる。さらに、追加の加熱空気流４により、有孔パイプ末端部品２４の領域においてパイプ２１内の圧力が低下する。この圧力低下は、航空キャビンの外気供給ラインにおける圧力調節に不利である。
【発明の開示】
【発明が解決しようとする課題】
【０００６】
したがって、本発明の目的は、大きな加熱空気流が外気流と混合される場合に特に、外気と加熱空気の混合工程が小さな圧力損失と高い混合品質をもって実行される混合装置を提案することである。
【課題を解決するための手段】
【０００７】
この目的は、外気導入口、加熱空気を混合装置に供給する加熱空気供給ボディおよび外気と加熱空気の混合空気を混合装置から送風する混合空気排出口を含み、加熱空気供給ボディが外気に対する流れ抵抗をつくる第１部分および第２部分を含み、第２部分は複数の加熱空気供給孔を有する閉鎖型中空体として形成され、加熱空気の流れ方向から見て下流末端で第１部分に接続している混合装置によって達成される。本発明によると、上記の目的を達成するために、混合装置は、加熱空気供給ボディの第１部分が流線型構造であることを特徴とする。
【０００８】
これに関連して、流線型構造とは、ボディの周りを流れる媒体に関して、流れ抵抗が小さいという点で区別されるボディのいかなる構造としても理解される。加熱空気供給ボディは、少なくとも部分的に流線型構造であるので、外気パイプの流れの断面積が加熱空気供給ボディによって縮小されるその率を最小限で維持し、これに伴う圧力の低下もこの領域で低いレベルで維持できる。さらに、外気ラインの圧力損失もまた、外気ラインの加熱空気供給ボディによって供給される加熱空気流量が大きい場合に最小化される。
【０００９】
本発明の好ましい実施例によると、複数の加熱空気供給孔を含む加熱空気供給ボディの第２部分は流線型構造である。このように構成された加熱空気供給ボディは、噴出ボディとも呼ばれ、この内部に加熱空気が取り込まれ、加熱空気供給孔を通して空気ミキサーの内部に噴出される。
【００１０】
加熱空気供給孔を含む加熱空気供給ボディの第２部分は、好ましくは球形または楕円形の構造であってもよい。第２部分の球形または楕円形の構造は、空気ミキサーの内部で流れ抵抗およびそれに伴う圧力の低下を低いレベルで維持するという点でも有利である。
【００１１】
本発明の別の実施例によると、外気の流れ方向にある第１部分の断面領域が第２部分の断面領域より小さいこともある。これは、一方では、第２部分と比較して第１部分の流れ抵抗を縮小させる。もう一方では、加熱空気供給ボディの第１部分に設けられた加熱空気供給孔をより広範囲に分配でき、よって、外気がより簡単に加熱空気と接触できるため、加熱空気と外気の混合品質を高める。
【００１２】
第２部分の複数の加熱空気供給孔は、好ましくは均等に分配され得る。加熱空気供給孔のこの均等な分配により、加熱空気が確実に空気ミキサー内に均一に流出し、混合領域下流の不均質な温度プロフィールにつながる恐れのある第２部分近くの大きな温度勾配を、こうして防ぐ。
【００１３】
本発明のさらに好ましい実施例によると、第２部分の下流域にある加熱空気供給孔の数は、第２部分の上流域よりも多いことがある。加熱空気の出口方向は第２部分上流域の外気の流れ方向と逆なので、加熱空気は第２部分から流出するときに空気の流れに逆らって“機能”しなければならない。この機能とはエネルギーという形でシステムに供給されなければならないということである。これとは対照的に、第２部分下流域の加熱空気の出口方向は、外気の流れ方向と平行である。この理由により、第２部分下流域にある加熱空気供給孔の数は上流域よりも多い。
【００１４】
第２部分にある加熱空気供給孔の表面密度は、外気の流れ方向に増加し得ることが望ましい。したがって、混合工程で生じる圧力損失が、上記の理由でさらに最小化される。
【００１５】
本発明の別の実施例によると、加熱空気供給ボディ内第１部分の加熱空気の流れ方向は、外気の流れ方向に垂直であってもよい。加熱空気供給ボディの第１部分が垂直に配列され、噴出ボディを形成していることにより、加熱空気は、第２部分に取り込まれるときにはすでに、外気の流れ方向に垂直な動成分を有しており、加熱空気量が少ない場合には特に、加熱空気が噴出ボディから流出しやすくなる。噴出ボディから加熱空気が流出した後、加熱空気は外気の流れ方向に押され、加熱空気が動きの方向を変える間に外気と混ざり合うことができ、こうして混合品質がさらに高まる。
【００１６】
本発明のさらに好ましい実施例によると、空気ミキサーの第１ボディは外気導入口および混合空気排出口を含み、この場合、加熱空気供給ボディは第１ボディに固定可能である。この構造の理由で、外気導入口および混合空気排出口を含む第１ボディは、航空機構造で特に有利である特別な軽材料からなっている。
【００１７】
本発明の別の好ましい実施例によると、空気ミキサーの重量軽減構造に関して、第１ボディはチタン合金からなり、加熱空気供給ボディはガラス繊維で補強されたプラスチック材からなる。チタン合金は、加熱空気の高温に関して優れた熱安定性を保証し、ガラス繊維で補強されたプラスチック材は空気ミキサー全体の重量軽減に関して特に有利である。
【００１８】
温度センサは好ましくは加熱空気供給ボディの第１ボディ下流域に配置されているが、これは航空キャビンに供給される混合空気の一定の温度調節に関して特に有利である。この場合、センサが混合空気の代表温度を測定することができるよう、温度センサは混合領域から十分な距離を離して配置されるべきである。
【００１９】
本発明はさらに、航空機に搭載された換気システムにおけるこのような発明に係る混合装置の使用方法も提供する。
【００２０】
本発明を、添付の概略図を基に以下に例示する。
【００２１】
図３Ａ，３Ｂおよび３Ｃならびに図４Ａ，４Ｂおよび４Ｃに用いられている参照数字は、図１および図２の参照数字に一部で対応している。さらに、図３Ａ，３Ｂ，３Ｃならびに図４Ａ，４Ｂおよび４Ｃにおいて、相互に対応する本発明の第１および第２実施例に係る空気ミキサーの構成部材は１桁目のみ異なる参照数字によって示される。
【００２２】
図３Ａは側面図を示し、図３Ｂは平面図を示し、図３Ｃは本発明の第１実施例に係る空気ミキサー３０の外気の流れ方向に垂直な断面図を示す。本実施例において、外気２は導入口３２を通して円筒状に形成されたパイプ３１に流入する。図３Ａにおいて、導入口３２はパイプ３１の断面として示され、導入口３２はパイプ３１の縦方向にある別の点でもあるが、この断面部は本発明の範囲内にある導入口３２として理解されるべきである。
【００２３】
外気２と混ざる加熱空気４は、導入口３４を通って加熱空気供給ボディ３３に流入する。図３Ａ，３Ｂおよび３Ｃに示される加熱空気供給ボディ３３は基本的に２つの部分を含む。第１部分３５は流線型構造をなし、第２部分３７への供給ラインとして機能する。第２部分３７は中空で、本発明の範囲内の噴出ボディとして参照される。噴出ボディ３７は複数の加熱空気供給孔３８を有し、その孔を通して加熱空気４がパイプ３１の内側に流入する。この場合、加熱空気４は噴出ボディ３７の表面に垂直な方向に流出し、噴出ボディ３７から流出した後に、外気２の流れ方向の中で外気２によって押され、外気２と混合する。外気２と混ざり合った加熱空気４は、混合空気６として混合空気排出口３６を通ってパイプ３１から流出する。
【００２４】
図３Ｂは空気ミキサー３０の平面図を示す。図３Ｂに示されるように、加熱空気供給ボディ３３の第１部分３５と噴出ボディ３７の両方が、外気２の流れ方向に関して流線型構造をなしている。第１部分３５および噴出ボディ３７が流線型構造である理由により、外気の流れ方向に関して加熱空気供給ボディ３３の流れ抵抗が低下し、空気ミキサー３０内で外気２および加熱空気４の混合における圧力損失が最小化される。第１部分３５および噴出ボディ３７の流線型構造はさらに、加熱空気供給ボディ３３の下流末端で流れの分裂が生じないことを保証する。
【００２５】
流れ方向の第１部分３５の断面領域、すなわち平面図である図３Ｂの部分３５の領域は、噴出ボディ３７の断面領域よりも小さい。結果として、加熱空気供給ボディ３３の流れ抵抗がさらに下がり、それに伴う圧力低下がさらに最小化される。同時に、噴出ボディ３７の加熱空気供給孔３８から空気ミキサー３０に流出する加熱空気量が小さい場合でさえ、優れた混合が達成される。
【００２６】
図３Ａ，３Ｂおよび３Ｃに示された実施例において、噴出ボディ３７の加熱空気供給孔３８の分配は、上流域を例外として、加熱空気供給孔３８が噴出ボディ３７の表面に実質的に均等に分配されるよう選択される。噴出ボディ３７の上流末端領域には加熱空気供給孔は設けられていない。この領域での加熱空気の出口方向は外気の流れ方向とは逆になるからである。したがって、加熱空気は外気に逆らって機能しなければならず、その機能とはエネルギーという形でシステムに供給されなければならないということである。これとは対照的に、下流域において加熱空気供給孔３８から流出する加熱空気４の出口方向は、外気２の流れ方向に平行であり、したがって、混合における圧力の低下はこの下流域で明確に縮小される。外気２の流れ方向に垂直にある、すなわち噴出ボディ３７の赤道近辺にある加熱空気供給孔３８から流出する加熱空気４は、噴出ボディ３７に関してバイパス流がないことを保証する。代わりに、パイプ３１の縁に近い領域において外気２も加熱空気４と混ざり合う。その結果として、パイプ３１の断面に関する実質的に均一な温度プロフィールが得られる。この均一な温度プロフィールによって、図３Ａ，３Ｂおよび３Ｃには示されていない温度センサを用いた代表温度の測定が可能となり、よって、空気ミキサー３０から流出して航空キャビンに供給される混合空気６の温度レベルを確実に調節したり制御したりすることが保証される。
【００２７】
図４Ａは側面図を示し、図４Ｂは平面図を示し、図４Ｃは本発明の第２実施例に係る空気ミキサー４０の外気２の流れ方向に垂直な断面図を示す。これに関連して、図３Ａ，３Ｂおよび３Ｃに示された第１実施例に対しての相違点のみが論じられる。
【００２８】
空気ミキサー４０のこの実施例において、噴出ボディ４７は球形の構造である。加熱空気供給孔４８は、この実施例において噴出ボディ４７の表面に均等に分配されている。加熱空気４もこれに応じて噴出ボディ４７から均等に全ての方向に流出する。噴出ボディ４７は、実際の意味での流線型構造を有していないが、噴出ボディ４７の流れ抵抗は図２の有孔パイプ末端部品２４と比べて小さくなる。図３Ａ，３Ｂおよび３Ｃに示された第１実施例と同様に、図４Ｂにも見られるように供給ライン４５も流線型構造である。結果として、空気ミキサー４０で生じるいかなる圧力損失も、図４Ａ，４Ｂおよび４Ｃで示された実施例において低いレベルで維持される。
【００２９】
加熱空気供給ボディ３３，４３は、ここで示される両方の実施例において外気２の流れ方向に垂直に配置されている。言い換えると、加熱空気供給ボディ３３，４３内の加熱空気４の流れ方向は、パイプ３１，４１内の外気２の流れ方向に垂直である。加熱空気４の（２００℃〜２６０℃の範囲にある）比較的高い温度に耐えるために、加熱空気供給ボディ３３，４３は有利にはチタン合金からなる。航空機構造では特に重要である空気ミキサー３０，４０の重量軽減構造に関して、パイプ３１，４１はガラス繊維で補強されたプラスチック材（ＧＦＲＰ合成物）からなる。しかしながら、当業者は、パイプ３１，４１および加熱空気供給ボディ３３，４３に適するその他の材料が用いられても良いことを認識している。
【００３０】
加熱空気供給ボディ３３，４３は、パイプ３１，４１の側面開口部に挿入され、密封された状態で後者に接続されている。例えば、雌ねじを有する金属ソケットがＧＦＲＰパイプ３１，４１の側面開口部に挿入される。チタン合金からなり、雄ねじ（図示せず）を含む加熱空気供給ボディ３３，４３は、こうしてソケットにねじで取り付けられる。
【００３１】
噴出ボディ３７，４７は有利には流線型構造をなす供給ライン３５，４５に溶接されている。
【００３２】
噴出ボディ３７，４７にある加熱空気供給孔３８，４８が図３Ａ，３Ｂ，３Ｃおよび４Ａ，４Ｂ，４Ｃで示されたものとは異なる方法で分配される可能性も、ここで示した２つの実施例では考慮された。こうして、特に図３Ａ，３Ｂおよび３Ｃに示された実施例において、噴出ボディ３７の上流域には加熱空気供給孔が設けられないということが決定された。この領域のより高い流線密度により、改善された混合が理論的には達成されるが、この領域内の加熱空気４の出口方向は外気２の流れ方向と逆であり、よって加熱空気２は外気２に逆らって機能しなければならないので、これは譲歩を示す。この機能とはエネルギーという形でシステムに外部から供給されなければならないということである。
【００３３】
さらに、両方の実施例において噴出ボディ３７，４７の幅は、外気の流れ方向にも見られるように、加熱空気供給ボディ３３，４３の幅に対応するように選択することができる。
【００３４】
図３Ａ，３Ｂ，３Ｃならびに４Ａ，４Ｂおよび４Ｃに関連してここで述べられる空気ミキサー３０，４０は、民間航空機に搭載された換気システムへの取り付けに特に適している。別の場所、例えば電車、トラックまたはバスの換気システム、言い換えれば、異なる温度の空気流が、例えば空気を通し、キャビン室または貨物室の様々な領域の温度レベルを調整、制御するために、できるだけ効率的に、かつできるだけ小さな圧力損失で相互に混合されるべき場所であればどこででも、この空気ミキサー３０，４０を用いることが考えられる。
【図面の簡単な説明】
【００３５】
【図１】先行技術による補助ボディを含まない空気ミキサーの断面図を示す。
【図２】先行技術による補助ボディを含む空気ミキサーの断面図を示す。
【図３Ａ】本発明の第１実施例による空気ミキサーの図を示す。
【図３Ｂ】本発明の第１実施例による空気ミキサーの図を示す。
【図３Ｃ】本発明の第１実施例による空気ミキサーの図を示す。
【図４Ａ】本発明の第２実施例による空気ミキサーの図を示す。
【図４Ｂ】本発明の第２実施例による空気ミキサーの図を示す。
【図４Ｃ】本発明の第２実施例による空気ミキサーの図を示す。
【図１】
2009533264.tif 000003
【図２】
2009533264.tif 000004
【図３Ａ】
2009533264.tif 000005
【図３Ｂ】
2009533264.tif 000006
【図３Ｃ】
2009533264.tif 000007
【図４Ａ】
2009533264.tif 000008
【図４Ｂ】
2009533264.tif 000009
【図４Ｃ】
2009533264.tif 000010
【手続補正書】
【提出日】平成20年12月17日(2008.12.17)
【手続補正１】
【補正対象書類名】特許請求の範囲
【補正対象項目名】全文
【補正方法】変更
【補正の内容】
【特許請求の範囲】
【請求項１】
航空機に搭載された換気システムにおいて外気（２）と加熱空気（４）を混合する混合装置（３０，４０）の使用方法であって、前記混合装置（３０，４０）は、外気導入口（３２，４２）、前記加熱空気（４）を前記混合装置（３０，４０）に供給する加熱空気供給ボディ（３３，４３）および外気と加熱空気の混合空気（６）を前記混合装置（３０，４０）から送風する混合空気排出口（３６，４６）を含み、前記加熱空気供給ボディ（３３，４３）が前記外気（２）に対する流れ抵抗をつくる第１部分（３５，４５）および第２部分（３７，４７）を含み、前記第２部分（３７，４７）が複数の加熱空気供給孔（３８，４８）を有する閉鎖型中空体として形成され、前記加熱空気の流れ方向から見て下流末端で前記第１部分（３５，４５）に接続しており、前記加熱空気供給ボディ（３３，４３）の前記第１部分（３５，４５）が流線型構造である混合装置（３０，４０）の使用方法。
【請求項２】
前記混合装置において、前記第２部分（３７）が流線型構造であることを特徴とする、請求項１に記載の使用方法。
【請求項３】
前記混合装置において、前記第２部分（４７）が球形または楕円形構造であることを特徴とする、請求項１に記載の使用方法。
【請求項４】
前記混合装置において、前記外気（２）の流れ方向で前記第１部分（３５，４５）の断面領域が前記第２部分（３７，４７）の断面領域より小さいことを特徴とする、請求項２または３に記載の使用方法。
【請求項５】
前記混合装置において、前記第２部分（４７）の複数の前記加熱空気供給孔（４８）が均等に分配されていることを特徴とする、請求項２〜４の何れか一項に記載の使用方法。
【請求項６】
前記混合装置において、前記第２部分（３７）の下流域にある前記加熱空気供給孔（３８）の数が前記第２部分（３７）の上流域より多いことを特徴とする、請求項２〜４の何れか一項に記載の使用方法。
【請求項７】
前記混合装置において、前記第２部分にある前記加熱空気供給孔の表面密度が前記外気の流れ方向に増加することを特徴とする、請求項６に記載の使用方法。
【請求項８】
前記混合装置において、前記加熱空気供給ボディ（３３，４３）の前記第１部分（３５，４５）を流れる前記加熱空気（４）の流れ方向が、前記外気（２）の流れ方向に垂直であることを特徴とする、請求項２〜７の何れか一項に記載の使用方法。
【請求項９】
前記混合装置において、第１ボディ（３１，４１）が前記外気導入口（３２，４２）および前記混合空気排出口（３６，４６）を含み、前記加熱空気供給ボディ（３３，４３）が前記第１ボディ（３１，４１）に固定されていることを特徴とする、請求項１〜８の何れか一項に記載の使用方法。
【請求項１０】
前記混合装置において、前記第１ボディ（３１，４１）が、ガラス繊維で補強されたプラスチック材からなり、前記加熱空気供給ボディ（３３，４３）がチタン合金からなることを特徴とする、請求項９に記載の使用方法。
【請求項１１】
前記混合装置において、温度センサが、前記加熱空気供給ボディ（３３，４３）の下流域で第１ボディ（３１，４１）に配置されていることを特徴とする、請求項９または１０に記載の使用方法。
【国際調査報告】
2009533264.tif 000011
2009533264.tif 000012
2009533264.tif 000013